(57)【特許請求の範囲】
【請求項１】
圧縮機と、冷房運転時に凝縮器となる熱交換器と、膨張機構とを有する室外機と、前記圧縮機、凝縮器及び膨張機構と接続されることで冷凍サイクルが構成され、冷房運転時冷却器となる熱交換器と、この熱交換器の下部に設けられた露受皿と、送風ファンとを有する室内機を備えた空気調和装置において、タイマーによって、前記送風ファン及び前記露受皿に設けられた加熱ヒータを所定時間運転させて停止させた後、再度前記送風ファン及び前記加熱ヒータを運転する制御機能を備え、冷房運転が継続して停止されていることを検出してこの制御機能を動作させるようにした空気調和装置。
【発明の詳細な説明】
【０００１】
【発明の属する技術分野】
本発明は空気調和装置等の電気機器のカビ発生抑止機能に関するもので、特に冷房或いは除湿運転をした後、上記空気調和装置等の構成機器或いは付属部品（ダクト含む）に結露或いは滞留した凝縮水を除去し、かつ湿度を制御して、カビ等の発生を抑制した空気調和装置等の電気機器に係わるものである。
【０００２】
【従来の技術】
図１０、図１１に示す如き従来の空気調和装置には、例えば冷房．暖房．除湿（除湿再加熱タイプを含む）の自動切り換え方式が広く用いられている。この空気調和装置３１の構成は、冷却器３２、加熱器３３、送風ファン３４等から成り冷却器３２の下部には、凝縮水を受ける露受皿３５が設けられている。又冷気吹出口３６には風向変更板３７が設けられている。加熱器３３は電気ヒ−タの場合や冷凍サイクルを構成する熱交換器を用いる場合、上記熱交換器に温水、蒸気を通す場合がある。
【０００３】
而して、上記加熱器３３と冷却器３２との位置構成は空気調和装置の寸法的制約や使用目的により異なる場合もあるが通常は図１１の如く配設されている。この空気調和装置の運転は、例えば冷房運転の場合、冷却器３２に冷却剤（冷媒）を流して室温が所定の温度になったら温度制御装置により冷却剤の流通を停止したり、送風機を停止したりさせる。又、例えば、除湿運転の場合、冷却器３２に冷却剤を流して気流中から除湿し、冷えた空気を加熱器３３により昇温させる運転を温度制御装置及び湿度制御装置を用いておこなう。
【０００４】
かかる構成を有する空気調和装置はいずれも室内の温湿度の改善を図る目的で運転される。例えば冷却器は空気温度を下げたり、除湿することを目的として、冷え過ぎたり相対湿度が高くなって不快感が生じた場合は加熱器により室内空気を昇温させて、相対湿度を下げて快適性を向上させている。この種、一般的空気調和装置の例としては特公平７−４８０１４号等がある。
【０００５】
【発明が解決しようとする課題】
ところで、この種の空気調和装置では、冷却器３２、露受皿３５、冷気吹出口３２風向変更板３７或いはそれらの周辺構造部に於いて、空気調和装置の運転が停止された後、数日間高湿度状態が保持され、その結果、機器の表面にいろいろな種類のカビが発生育成するという問題がある。
【０００６】
発明者の一人の調査によれば、相対湿度の高低と機器表面のカビの発生とは密接な関係が認められることが判った。例えば、相対湿度が９０％以上でアルタナリア（すすカビ）、ムコ−ル（毛カビ）が、又７０％以上で、アスペルギルス（こうじカビ）、ペニシリウム（あおカビ）などが生育する。そして相対湿度が６０％以下では、ほとんどのカビが生育しないことも判った。
【０００７】
従って、市販の空気調和装置に於いては高湿度状態が保持されカビが生育した後、空気調和装置を再運転すると気流通路に群生していたカビが気流により室内に飛散するという問題があった。
【０００８】
特に付着しているカビをケナガコナダニなどのダニが餌として大量に増殖するという二次的弊害も生じ、じゅうたん内のダニが人体のアレルゲンとなり人体に種々悪影響を与えることになっていた。
【０００９】
これらをまとめると、
（１）空気調和装置の運転後停止時間が長く高湿状態が長く続くと、露受皿は勿論のこと露のついた本体、或いは冷却器等にまでカビが成長する可能性があった。もし、このカビの付いた状態で運転を再開すると室内等にカビを撒き散らしてしまうという、大きな問題があった。
【００１０】
（２）前項により空気調和装置でカビが増殖すると、カビを餌としているダニが発生し人体のアレルゲンとなり人体に種々の悪影響を与えるという問題があった。
【００１１】
（３）前（１）（２）項を予期し使用者が事前に対策しようとしても、空気調和装置のように一旦壁等に据え付けられてしまったものでは清掃専門業者を呼ばない限り使用者には露処理、カビ除去等の清掃も出来ないと言う問題もあった。
【００１２】
本発明は、カビの増殖を抑制しうる空気調和装置を提供することを目的とする。
【００１３】
【課題を解決するための手段】
上記目的は、圧縮機と、冷房運転時に凝縮器となる熱交換器と、膨張機構とを有する室外機と、前記圧縮機、凝縮器及び膨張機構と接続されることで冷凍サイクルが構成され、冷房運転時冷却器となる熱交換器と、この熱交換器の下部に設けられた露受皿と、送風ファンとを有する室内機を備えた空気調和装置において、タイマーによって、前記送風ファン及び前記露受皿に設けられた加熱ヒータを所定時間運転させて停止させた後、再度前記送風ファン及び前記加熱ヒータを運転する制御機能を備え、冷房運転が継続して停止されていることを検出してこの制御機能を動作させるようにすることにより達成される。
【００１４】
【発明の実施の形態】
冷却器、露受皿、若しくは空気調和装置本体、及びダクト部等に存在する凝縮水を強制的に蒸発させ、かつ湿度を制御することが出来る加熱装置を備えたものである。又、冷却器、露受皿、若しくは空気調和装置本体、及びダクト部等に存在する凝縮水を強制的に蒸発させ、かつ湿度を制御する手段として送風ファンを強制運転させるようにしたものである。又、凝縮水を強制的に蒸発させ、かつ湿度を制御する手段として運転する送風ファン或いは加熱装置を次の条件の一つに合致した時、自動運転するようにしたものである。
【００１５】
条件．１……冷却器の運転停止の度。
【００１６】
条件．２……予め設定された時間、冷却器が運転をした時。
【００１７】
条件．３……予め設定された時間、冷却器が運転をした時で、しかも冷却器、或いはダクト、露受皿等に凝縮水が存在する時。
【００１８】
条件．４……旅行等で長期間外出する時。
【００１９】
条件．５……凝縮水をとる運転を止める前。
【００２０】
さらには、相対湿度を検出する湿度センサーを機器内若しくは室内で湿度が最も高くなる所等の適宜な位置に設け、カビの菌糸が死滅する相対湿度を所定時間継続させることが出来るように送風ファン、加熱装置等を運転する事が出来るようにした制御手段をもたせた空気調和装置等の電気機器である。又、カビの菌糸が死滅する湿度を所定時間継続した後、再び水分を与え、胞子の発芽を誘導し、菌糸および発芽誘導胞子までも死滅させる湿度６０％以下に保持する運転を行う制御手段をもたせたものである。又、電気機器として冷却器、送風ファンを有し、室内空気を機器内に吸い込んで吹き出す構成を有す空気調和装置或いは除湿器等となしたものである。
【００２１】
又、電気機器内の空気流通路（ダクト内を含む）、吸込口（フィルタ−を含む）、吹出口等に存在するカビの菌糸及び発芽誘導胞子を死滅させることが出来るように湿度を制御するようにしたものである。又、カビの種類として、好湿性カビ、中湿性カビ、好乾性カビを対象としたものである。又、電気機器使用のシ−ズンオフ時、或いは長期外出時の前にカビの菌糸及び発芽誘導胞子を死滅させる制御手段を自動的に働らかせるようにしたものである。
【００２２】
以下本発明の詳細を図を用いて一実施例の形態を説明する。
【００２３】
図１は本発明を備えた空気調和装置（室内機）の縦断面図、図２は例えば大容量の空気調和機装置の室外機本体、及び空気調和機装置の室内機本体を、それぞれ室外，室内に設置し、ダクトにて複数の室Ａ，Ｂ，Ｃのそれぞれ接続し冷却するようにした説明図、図３は図１の要部拡大図である。図４は図１に示した空気調和装置（室外を含めた）の制御機構を示すブロック図、図５〜図９は本発明の異なる実施例を示す図で、図５は暖房、冷房、除湿ができる空気調和装置の構成説明図、図６は除湿機に適用した例を示す図であり、図７〜図９は冷凍サイクルを使わないで除湿作用を行う除湿機に本発明を適用した例を示すものである。
【００２４】
まず、図１〜図２において本発明の一実施例を説明する。図において、１は空気調和装置の室内機本体、２は冷却器であり、３は室内ファンである。而して、上記冷却器２は図には示してないが室外機側に設置された圧縮機、凝縮器、それにキャピラリチューブ（膨張弁）等に接続され、冷凍サイクルを構成する。この室内機本体１（通常室内の壁等に取り付けられる）を運転すると、室内空気の吸込口４より吸い込まれた空気は冷却器２と熱交換し、室内ファン３により矢印Ｐ１，Ｐ２で示す如く、空気の吹出口５より再び室内に戻されるものである。
【００２５】
この運転を繰り返すことによりこの室内機本体１が設置されている室内の温度は所定の温度にまで冷却される（これが冷房運転である）。勿論この時温度調節器（図示せず）により上記室内温度は設定温度に調節されるものである。６はエアフィルターである。これは室内機本体１に吸い込まれる空気中の塵埃を除去するものである。７は上記冷却器２の下部に設置された露受皿。この露受皿７には冷却器２と熱交換する室内空気中の凝縮水が一時的に溜められる。すなわち、図には示してないが、上記凝縮水の大半はこの露受皿に接続されたドレンパイプにより戸外に排出される。
【００２６】
しかし、空気調和装置の据付状態或いはドレンパイプの取付け状態により、凝縮水の全部が戸外に排出されている訳ではないので、多少は露受皿７に残ってしまうことはよく経験する所である。もちろん露受皿７以外にも冷却器２からの熱伝導、或いは冷却された冷気の熱影響により運転条件によっては、凝縮水が室内機の化粧カバー８，ダクト９，風向板１０等にも付着する。１１は上記露受皿７及び化粧カバー８，ダクト９，風向板１０等にカビがはえるのを抑制する制御機能を示す。
【００２７】
すなわち、上記空気調和装置を通常の冷房，除湿運転で連日使用していたり、使用後長期間運転を停止しておくと、上記凝縮水と湿度がカビ発生の原因となる。換言するならば、空気調和装置のシーズン中、旅行等で長期運転を停止した時或いは空気調和装置のシーズンが終わる時等が、上記に該当する。尚、上記カビの発生の必要な条件としては、（ａ）栄養分（ｂ）酸素（ｃ）温度（ｄ）湿度（水分）（ｅ）時間といわれている。空気調和装置で考えた場合（ａ）の栄養分は合成樹脂材（露受皿、化粧カバ−等）および内部に付着したゴミであり、（ｂ）の酸素は人間の呼吸にも必要であり、（ｃ）の温度は人もカビも生物で生活適温には、あまり差がない。
【００２８】
従って、調整できる因子としては「湿度」と「時間」の２因子といわれている。先の制御機能１１は、この湿度と時間或いは湿度のみをコントロールして空気調和装置本体に及び室内にカビの発生がないようにする機能である。すなわち、この制御機能１１を働かせるために設けた操作スイッチ１２を旅行に出かける前、或いは使用シーズン終わりに当たって押すと、図１の制御機能（Ｉ）においては、室内ファン３のみを運転し露受皿７及び化粧カバー８，ダクト９，風向板１０等に滞留している凝縮水を強制的に蒸発するよう、室内空気が空気調和装置の室内機本体１内を含め循環するものである。そして、上記箇所の凝縮水の蒸発が完了した所で、上記室内ファンの運転はタイマー等で一旦停止する。
【００２９】
上記ダクト９の変形した例には図２に示すものがある。すなわち、図２に示すものは、比較的大容量の空気調和装置の室外機本体１ａと室内機本体１を用いて、複数の室Ａ，Ｂ，Ｃを冷却するようにしたものである。勿論この時には、図に示す如く室内ファン３の出口にダクト９ａ，９ｂ，９ｃを接続しておき、このダクト９を介して冷却器２で冷却された冷気を室Ａ，Ｂ，Ｃに供給するものである。このタイプの空気調和装置であった場合、室内機本体１（冷却器２含む）に図１で説明した如く、露が付きカビ発生の原因にもなるが、ダクト９ａ，９ｂ，９ｃ内にも当然露付きが生ずる。この為、このダクト９ａ，９ｂ，９ｃ内のカビ対策が必要となる。
【００３０】
本発明においては、このダクト９ａ，９ｂ，９ｃ内のカビ対策として、図１に示す上記制御機能１１を働かせるようにしているものである。又、図３の制御機能（ＩＩ）においては、室内ファン３の他、加熱ヒータ２２を働かせ凝縮水が一番多く残っている露受皿７の蒸発を促進させ、制御機能の運転時間を短縮させたものである。もちろん、この運転を行うことによりエアフィルター６部の湿度も低下させることができるものである。
【００３１】
要約すると、上記制御機能１１は次のような条件に合致した時、凝縮水を蒸発させる機能をもっているものである。
【００３２】
条件．１……冷却器の運転停止の度。
【００３３】
条件．２……予め設定された時間、冷却器が運転をした時。
【００３４】
条件．３……予め設定された時間、冷却器が運転をした時で、しかも冷却器、或いはダクト、露受皿等に凝縮水が存在するとき。
【００３５】
条件．４……旅行等で長期間外出する時。
【００３６】
条件．５……凝縮水をとる運転を止める前。
【００３７】
一方、カビの種類には表１に示す如く好湿性カビ、中湿性カビ、好乾性カビがあるが、表１からも判るように相対湿度が６０％以下では、カビは生長しないといわれている。一方、カビはたいてい胞子定着  →  胞子  →  発芽  →  菌糸伸長  →  胞子飛散という無性的な生活環境（ライフサイクル）を持っている。そして通常の室内環境ではこの無性的な生活環が一周するのには何日か必要とするといわれている。従って、上記機能（Ｉ）（ＩＩ）の働きにより、凝縮水を強制的に除去したとしても、まだ十分とはいえない。尚、表１は「微生物生育の為に必要な最低の相対湿度環境」を示したものである。
【００３８】
【表１】
0003619649.tif 000002
【００３９】
本発明で先に説明した制御機能（Ｉ）（ＩＩ）はこれにも対応することができるよう一旦停止した室内ファン３及び加熱ヒータ２２を更に運転し、室内機本体１内を含め、カビの生長を止め死滅させるものである。
【００４０】
換言するならば、一回目の室内ファン３等の運転終了後、時間をおいて胞子であったカビを発生させ、発芽した所で生長を止め、死滅に追い込むものである。この運転動作はタイマー等を用い最初の操作スイッチを入れたら自動的に行うようにしておけば人手を煩わすことがないものである。又、最初の操作スイッチにしても、継続して停止されていることを検出して、上記操作スイッチが自動的に入るようにしておけば更に効率よく、カビ発生の抑制ができるものである。
【００４１】
以上は空気調和装置内のカビ発生を中心に説明してきたが、室内についてもこのことはいえるものである。
【００４２】
次に図４に於いて、空気調和装置全体としての制御について説明する。図に於いて、１３は空気調和装置の室内機本体１側の制御機構を示し、１４は室外機本体の制御機構を示す。１５は室内制御部、この制御部１５内には先に説明したカビ制御用の制御機能（Ｉ）（ＩＩ）が含まれているものである。通常、操作スイッチ１２のスイッチオンにより本空気調和装置は運転を開始する。
【００４３】
すなわち、操作スイッチ１２のスイッチがオンされると信号線１６，電源回路１７に通電され室外制御部１８の指示により、圧縮機駆動回路１９を介して圧縮機２０が運転されると共に、室外ファンモータ２１が運転され凝縮器（図示せず）の冷却を行う。
【００４４】
一方、室内制御部１５側に於いては温度センサー２３の指示を受け、室内ファン駆動回路２４を介して室内ファン３が回る。この状態が空気調和装置の冷房運転状態である。
【００４５】
すなわち、圧縮機２０の運転に伴い冷却器が冷却され、室内ファン３の運転で、この冷却器と強制的に熱交換させられる室内空気は時間と共にだんだん冷却され、所定温度に近づく、温度センサー２３が予め設定された温度を検出すると室内制御部１５、室外制御部１８に信号が送られ圧縮機２０及び室内ファン３の運転が停止される。そして再び温度センサー２３が運転温度を検出すると、圧縮機２０及び室内ファン３の運転を再開する。これを繰り返すことにより、室内は常に設定された冷却温度に保持される。この過程に於いて、冷却器及び化粧カバー、或いはダクト等には凝縮水が付着する。
【００４６】
尚、冷却器に付着した露は露受皿に滴下し、露受皿内の一部に滞留する。従って、旅行或いはシーズン終了時には当然カビの発生が予期できる。そこで、上記凝縮水を除去すべく操作スイッチ１２のスイッチを押すと室外制御１８が動作し、圧縮機２０、室外ファンモータ２１の運転を止め、室内ファン３及び加熱ヒータ２２を動作させるものである。
【００４７】
このように本発明のカビ抑制機能は前記した室内制御部（基板）内に組み込まれ空気調和装置の一機能として使うことが出来るものである。以上は空気調和装置本体内のカビ抑制を中心に説明してきたが、室内の湿度を検出する湿度センサー２５を設け、室内の湿度をカビの菌糸を死滅させる湿度に、死滅に必要な時間（発明者の一人の実験によればカビの菌糸を死滅させるためには相対湿度５３％以下では２４時間、４３％以下では３時間、３３％以下では１時間が必要である。）保つように圧縮機２０を運転すると共に、旅行或いはシーズンオフ前の処置として、先に記述した制御機能（Ｉ）（ＩＩ）を使うと、室内のカビ発生も同時に防止できるものである。尚、上記相対湿度とカビの生長時間との詳細については、発明者の−人が先に出願した特開平７−２７５３２９号の通りである。
【００４８】
すなわち、室内の相対湿度をカビの菌糸を死滅させる湿度に、死滅に必要な時間保った後、運転を停止させる。これにより、例えば乾燥食器や米のような穀物に付いて繁殖するカビの中で代表的な、アスペルギルスおよびユロチウムが死滅することが確認されている。運転停止の状態で相対湿度７５〜８０％（室温２０℃〜２５℃）を３日〜１週間維持することによって、胞子が発芽することも確認されているので、３日〜１週間経過した所で再び、先の相対湿度６０％（温度２５℃）を約６時間継続する運転を行うよう、室内制御部１５を運転し室内のカビ発生を防止するものである。
【００４９】
次に図５〜図９を用いて本発明を適用した製品について説明する。図５に示す製品は空気調和装置であるが、このものは図１に示した空気調和装置とは異なり、冷房の他に暖房，除湿が行える製品である。尚、製品自体は既に周知の製品であることより、本発明との係わりについてのみ説明する。図において、２ａは室内熱交換器であり、２ｂは再熱用熱交換器である。
【００５０】
而して冷房運転時には上記熱交換器２ａ，２ｂは冷却器（図１の冷却器２相当）として働き、暖房時には両者が加熱器として働く、そして除湿時には再熱用熱交換器２ｂが加熱器として、室内熱交換器２ａは冷却器として働くよう、切換え弁等をもって冷凍サイクルが構成されているものである。この製品に本発明の制御機能を組み込めば、冷房運転時は図１〜図４で説明した通りに働く。
【００５１】
又、除湿運転時に於いても凝縮水の処理は、図１〜図４と同じくなるものである。本製品の特徴は加熱器を持っている点である。先にも縷々説明した如くカビの生長には湿度が欠かせない。この点より、上記加熱器をもって相対湿度のコントロールに使うと、冷却器による空気中の水分除去に合わせ相対湿度を、例えば６０〜６５％以下に低下できるものである。
【００５２】
すなわち、この除湿機能を持った空気調和装置にあっては、温度センサー２３，湿度センサー２５の信号を取り込み、再熱用熱交換器２ｂの加熱量を可変させるように設計すると、本発明は更に効果が出るものである。次に、図６に示す製品は市販の除湿機である。この製品は冷却専用熱交換器２６と再熱専用熱交換器２７をもっている。従って、本製品の場合は図５の空気調和装置の除湿運転時と同様、再熱専用熱交換器２７の加熱量を可変させるよう設計すると、本発明の効果は更に拡大するものである。
【００５３】
次に、図７〜図９をもって説明する製品は、冷凍サイクルを使用しないで室内の水分を除湿する除湿器である。このものは、図７にも示す如く、除湿すべき空気を顕熱交換器２８の一方の通路２８ａより送風ファン３により吸引し、送風ファン３の後方に設置された吸湿材２９で空気中の水蒸気を吸湿して、上記顕熱交換器２８の他方の通路２８ｂより排気すると共に、上記送風ファン３と吸湿材２９の間に断続的にオン，オフする加熱ヒータ３０を設けて、この加熱ヒータ３０により加熱された空気を吸湿材２９を介して、顕熱交換器２８の他方の通路２８ｂへ送り込むことにより、顕熱交換器２８に結露を発生させ且つ、この凝縮水を露受皿７（図示せず）に溜めるようにしたものである。これを原理的に説明したのが図８、図９である。
【００５４】
すなわち、図８は加熱ヒータ３０のオフ時であり、図９が加熱ヒータ３０のオン時を示す図である。このものにおいても、露受皿７部へのカビの発生は勿論顕熱交換器２８，吸湿材２９のカビの発生が当然問題となるので、旅行の際、或いはシーズンオフ時には、加熱ヒータ３０を活用し、上記カビ発生が予期される部分の乾燥が欠かせないものである。
【００５５】
又このものに於いて、胞子まで除去する時には、加熱ヒータ３０の発熱及び送風ファン３の運転を止め、一時点に湿度を６５％以上にし、胞子を発芽させ、その後再び加熱ヒータ３０及び送風ファン３の運転を行えば良いものである。即ち、本装置は図８に示す状態と図９に示す状態がある。図８に示すものは、吸湿材２９に空気中の湿気を吸着させている所である。（この時は顕熱交換器には水が凝縮しない。）図９に示すものは、ヒータで加熱された空気が吸湿材２９に当たる
ことにより、吸湿材２９に吸湿されていた湿気が暖気により追い出される。そして、この湿気を含んだ空気が顕熱交換器に当たることにより、結露に至る。
【００５６】
勿論、結露した凝縮水は図には示してないが、露受皿に溜められるものである。
【００５７】
以上の構成を有する冷凍サイクルを有さぬ除湿機に於いては、先に説明した熱交換器，露受皿の他，吸湿材へのカビの発生が予期される。従って、この吸着材内のカビ除去も、先の露受皿等と同様、行う必要があるものである。以上説明した如く、本発明に於けるカビ発生防止機能は何れも、本体が機能遂行のためにもっている冷却器，加熱装置，送風ファン等を必要に応じ働かせ、カビ生長の必須要件である湿度をコントロールすることにより、カビ発生を、空気調和機本体は勿論、この空気調和装置が据え付けられている室内の、カビ発生の防止（抑制）ができるものである。
【００５８】
【発明の効果】
本発明は以上説明した如く、空気調和機等の電気機器に於いて、カビの発生が予想される機器内は勿論、冷却器、露受皿、及びダクト部等に存在する凝縮水を強制的に蒸発させるのに上記機器のもっているファン等を使うと共に、適宜な位置に湿度センサを設けて、温湿度を調整し、電気機器内の空気流通路（ダクトを含む）、吸込口（フィルターを含む）、吹出口等に存在するカビ（菌糸及び胞子）、及び室内等のカビ（菌糸及び胞子）の除去を行うことが出来るものである。
【図面の簡単な説明】
【図１】本発明を備えた空気調和装置（室内機）の縦断面図。
【図２】例えば大容量の空気調和機装置の室外機本体及び空気調和機装置の室内機本体を室外に設置し、複数の室Ａ，Ｂ，Ｃを冷却するようにした空気調和装置のダクトでの接続説明図。
【図３】図１の要部拡大図。
【図４】図１に示した空気調和装置（室内、室外を含めた）の制御機構を示すブロック図。
【図５】暖房、冷房、除湿ができる空気調和装置の構成説明図。
【図６】除湿器に適用した例を示す図。
【図７】冷凍サイクルを用いない除湿器の−部切り欠き斜視図。
【図８】図７の動作説明図で、室内空気より湿気を奪っているところを示す図。
【図９】図７の動作説明図で、吸着材に吸着された水分を顕熱交換器に凝縮させているところを示す図。
【図１０】従来−船に市販されている空気調和装置の斜視図。
【図１１】図１０の縦断面図。
【符号の説明】
１…空気調和装置の室内機本体、２…冷却器、３…室内ファン、４…吸込口、５…吹出口、６…エアフイルタ−、７…露受皿、８…化粧カバ−、９…ダクト、１０…風向板、１１…制御機能、１２…操作スイッチ、１３…室内機本体側の制御機構、１４…室外機本体の制御機構、１５…室内制御部、１６…信号線、１７…電源回路、１８…室外制御部、１９…圧縮機駆動回路、２０…圧縮機、２１…室外ファンモータ、２２…室内ファン駆動回路、２３…温度センサ−、２４…加熱ヒータ、２５…湿度センサー、２６…冷却専用熱交換器、２７…再熱専用熱交換器、２８…顕熱交換器、２９…吸湿材、３０…ヒ−タ。
【図１】
0003619649.tif 000003
【図２】
0003619649.tif 000004
【図３】
0003619649.tif 000005
【図４】
0003619649.tif 000006
【図５】
0003619649.tif 000007
【図６】
0003619649.tif 000008
【図７】
0003619649.tif 000009
【図８】
0003619649.tif 000010
【図９】
0003619649.tif 000011
【図１０】
0003619649.tif 000012
【図１１】
0003619649.tif 000013